(57)【特許請求の範囲】
【請求項１】
シャシー上に搭載された塵芥収容箱の内部を隔壁によって上下方向に区画して下層収容箱と上層収容箱を構成し、上記塵芥収容箱の後方に、上記下層収容箱及び上層収容箱に各々対応した下層用投入箱及び上層用投入箱を有する塵芥投入箱が連接して配置され、
上記下層用投入箱内及び上層用投入箱内に各々投入された塵芥を各々対応する下層収容箱内及び上層収容箱内に積み込む塵芥積込装置が上記塵芥投入箱に配設された塵芥収集車において、
上記塵芥積込装置は、
上記下層用投入箱内に回転自在に設けられて該下層用投入箱内に投入された塵芥を掻き上げる下層用回転板と、
上記下層用投入箱内に揺動前端位置と揺動後端位置との間を揺動自在に設けられて上記下層用回転板によって掻き上げられた塵芥を上記下層収容箱内に押し込む下層用押込板と、
上記上層用投入箱内に回転自在に設けられて該上層用投入箱内に投入された塵芥を掻き上げる上層用回転板と、
上記上層用投入箱内に揺動前端位置と揺動後端位置との間を揺動自在に設けられて上記上層用回転板によって掻き上げられた塵芥を上記上層収容箱内に押し込む上層用押込板と、
上記下層用回転板及び上層用回転板を連動して回転駆動する回転板駆動部と、
上記下層用押込板及び上層用押込板を連動して揺動駆動せしめる押込板駆動部とを有することを特徴とする塵芥収集車。
【請求項２】
上記下層用回転板と上層用回転板は、上記回転板駆動部によって同期して回転駆動され、
上記下層用押込板と上層用押込板は、上記押込板駆動部によって同期して揺動駆動されることを特徴とする請求項１に記載の塵芥収集車。
【請求項３】
上記回転板駆動装置は、
油圧モータと、
上記下層用投入箱に回転自在に設けられて上記下層用回転板を支持する下層用回転軸に設けられた下層用スプロケットと、
上記上層用投入箱に回転自在に設けられて上記上層用回転板を支持する上層用回転軸に設けられた上層用スプロケットと、
上記油圧モータと上記下層用スプロケットの間及び上記油圧モータと上層用スプロケットの間に動力伝達可能に掛け渡されたチェーンとを有することを特徴とする請求項１または２に記載の塵芥収集車。
【請求項４】
上記押込板駆動部は、
上記下層用押込板及び上層用押込板のいずれか一方と塵芥投入箱との間に架設された押込シリンダと、
上記下層用押込板と上層用押込板を連動可能に連結する連結ロッドとを有することを特徴とする請求項１〜３のいずれか１項に記載の塵芥収集車。
【請求項５】
上記塵芥収容箱は、該上層収容箱を搭載するシャシーに傾倒可能に支持されると共に、上記塵芥投入箱が上記塵芥収容箱の後端上部に揺動可能に支持され、上記上層収容箱及び下層収容箱の各後部に形成された各後部開口の少なくとも一方を開閉する収容箱開閉蓋を有することを特徴とする請求項１〜４のいずれか１項に記載の塵芥収集車。
【発明の詳細な説明】
【０００１】
【発明の属する技術分野】
本発明は、塵芥収集車に関わり、特に分別された異なる種類の塵芥を積み込み可能にする塵芥収集車に関する。
【０００２】
【従来の技術】
一般に、塵芥収集車は、例えば図７に概略を示すように車両の中央に塵芥収容箱１０１が設けられ、この塵芥収容箱１０１の後方に塵芥投入箱１０２が配置されている。更に、この塵芥投入箱１０２内には、投入口（図示せず）から塵芥投入箱１０２内に投入された塵芥を塵芥収容箱１０１内に積み込む積込装置１０３が設けられている。
【０００３】
この積込装置１０３は、塵芥投入箱１０２内に車幅方向に沿って設けられた回転軸１０４によって回転自在に軸支される回転板１０５と、回転軸１０４の上方で車幅方向に沿って塵芥投入箱１０２に設けられた押込板支持軸１０６に揺動自在に支持された押込板１０７とを有し、回転板１０５は回転軸１０４を介して例えば油圧モータ１０８によって作動し、押込板１０７は押込シリンダ１０９によって作動する。
【０００４】
図８は上記油圧モータ１０８、押込シリンダ１０９等の油圧装置を作動するための油圧回路１２０を示している。
【０００５】
図中、符号Ｔは油タンク、Ｐは油圧ポンプであって、油圧ポンプＰからの供給回路Ｐａ及び回収回路Ｐｂは第１、第２、第３の主切換弁Ｖ１０１、Ｖ１０２、Ｖ１０３を介して各々油圧モータ１０８、押込シリンダ１０９、リフトシリンダ１１０に接続されている。
【０００６】
第１主切換弁Ｖ１０１は、油圧ポンプＰからの油圧を油圧モータ１０８の正転側供給口１０８ａ或いは逆転側供給口１０８ｂに切り換え供給して油圧モータ１０８を正逆回転して回転板１０５を正逆回転せしめると共に、正転側供給口１０８ａ及び逆転側供給口１０８ｂを共に閉鎖して油圧モータ１０８の回転を停止して回転板１０５を停止し、かつその停止位置に固定する。
【０００７】
第２主切換弁Ｖ１０２は、油圧ポンプＰからの油圧を押込シリンダ１０９の伸長側油室１０９ａ或いは収縮側油室１０９ｂに切り換え供給して押込板１０７を揺動すると共に、伸長側油室１０９ａ及び収縮側油室１０９ｂへの給排を停止して押込板１０７を停止し、かつその停止位置に固定する。
【０００８】
第３主切換弁Ｖ１０３は、油圧ポンプＰからの油圧をリフトシリンダ１１０の伸長側油室１１０ａ或いは収縮側油室１１０ｂに切り換え供給して投入箱１０２を傾倒させると共に、伸長側油室１１０ａ及び収縮側油室１１０ｂへの給排を停止して塵芥投入箱１０２の傾倒を停止し、かつ塵芥投入箱１０２を固定するものであるが、積込装置１０３の作動と関係ないので構成の説明を省略する。
【０００９】
次に、このように構成される塵芥収集車の積込装置の作用について図９に示す作動説明図に従って説明する。
【００１０】
図９（ａ）に示すように、回転板１０５の先端が塵芥収容箱１０１の床面１０１ａの後端と略一致する積込開始位置Ｉでかつ、押込板１０７が揺動前端位置に各々停止する状態で塵芥を投入口から塵芥投入箱１０２内に投入し、操作盤（図示せず）の作動スイッチ操作により積込装置１０３を作動させる。
【００１１】
この操作盤の作動スイッチ操作により油圧モータ１０８の正転側供給口１０８ａに油圧ポンプＰからの油圧が供給されるように第１主切換弁Ｖ１０１が切換わり、油圧モータ１０８が正転して回転軸１０４が回転駆動され、回転軸１０４に設けられた回転板１０５が回転する。
【００１２】
そして、図９（ｂ）に示すように、回転板１０５が押込板戻り開始位置ＩＩに達すると、その信号が制御装置に入力され、制御装置からの指示に従って第２主切換弁Ｖ１０２が切換わり押込シリンダ１０９の収縮側油室１０９ｂに油圧が供給されて押込シリンダ１０９が収縮し、揺動前端位置にある押込板１０７を揺動後端位置へ向けて揺動開始させる。
【００１３】
回転板１０５が更に回転して図９（ｃ）に示す押込板戻り完了位置ＩＩＩに達すると、押込板１０７が揺動後端位置まで揺動し、第２主切換弁Ｖ１０２が図８に示すように切換わり押込シリンダ１０９の収縮を停止して押込板１０７を揺動後端位置に保持する。
【００１４】
油圧モータ１０８による回転板１０５の回転は、続行されて投入箱１０２内に投入された塵芥を回転板１０５によって掻き上げ、回転板１０５の先端が塵芥収容箱１０１の床面１０１ａの後端と略一致する積込開始位置Ｉに達すると、その信号が制御装置に入力され、制御装置からの指示により第１主切換弁Ｖ１０１が図８に示すように切り換えられて油圧モータ１０８が停止して回転板１０５が図９（ｄ）に示すように積込開始位置Ｉで停止する。
【００１５】
更に、制御装置からの指示に従って第２主切換弁Ｖ１０２が切換わり押込シリンダ１０９の伸長側油室１０９ａに油圧が供給されて押込シリンダ１０９が伸長し、図９（ｅ）のように揺動後端位置に位置する押込板１０７を揺動前端位置まで揺動させて回転板１０５によって掻き上げられた塵芥を塵芥収容箱１０１内に押し込み、第２主切換弁Ｖ１０２が図８に示すように切換わり押込シリンダ１０９の収縮を停止して押込板１０７が揺動前端位置に停止した図９（ａ）に示す状態に復帰する。
【００１６】
これら図９の（ａ）から（ｅ）に示す各作動を繰り返すことにより投入口から連続的に塵芥投入箱１０２内に投入された塵芥を順次塵芥収容箱１０１内に押し込み収容する。
【００１７】
一方、環境問題や資源再利用に対する関心の高まりから、例えば段ボール等の再資源化が叫ばれ、再資源材料となる資源ゴミ等の塵芥と、一般の厨雑芥とを分別して回収されている。
【００１８】
この分別された種類の異なる塵芥を効率的に回収するために、塵芥収容箱を複数の収容箱に区画した、いわゆる多層型の塵芥収集車がある。
【００１９】
この多層型の塵芥収集車としては、例えば塵芥収容箱を左右に２分割して並列に配置された収容箱を形成し、各々の収容箱の後方に各々投入箱及び積込装置を配設した、いわゆる圧縮式左右２層型の塵芥収集車や、塵芥収容箱を上下にに２分割し、積み重ねるように配置された上層及び下層の収容箱の後方に各々投入箱及び積込装置を配設した、いわゆる圧縮式水平２層型の塵芥収集車がある。
【００２０】
【発明が解決しようとする課題】
上記各２層型の圧縮式塵芥収集車にあっては、各々異なる塵芥に応じた収容箱及び各収容箱に対応して投入箱及び積込装置を備えることから、１台の塵芥収集車によって分別された２種類の異なる塵芥を同時に回収することが可能になり、回収作業の効率化が得られる。
【００２１】
しかし、各収容箱に対応して各々積込装置を搭載し、各積込装置を各々単独で作動させることから、積込装置を作動制御するための積込制御回路が２系統必要であり、かつ各積込装置に各々専用の油圧機器及び油圧配管等の各種構成部品を要することから構成が複雑になり、重量の増大を招くと共に、製造コスト及びメンテナンスコストの増大が懸念される。
【００２２】
特に収容箱を積み重ねるように積層された圧縮式水平２層型の塵芥収集車にあっては、上層の収容箱内に設けられた積込装置が高所に配設されることから、作業者が地上から積込装置の作動状況を直視することは困難であり、塵芥投入のタイミングの判断に困難を来たし円滑な回収作業が妨げられるおそれがある。また上層の積込装置の回転板等に塵芥が挟まり、積込工程途中で停止した場合、その回転板等の停止位置の確認が得られず、通常は回転板等を単独で正逆回転操作することによって回避するが、回転板等の揺動方向の判断に困難を来たし、円滑な対処の妨げとなる。
【００２３】
従って、かかる点に鑑みなされる本発明の目的は、構成の簡素化及び重量の軽減が得られ、かつ分別された種類の異なる塵芥の円滑な回収作業が得られる塵芥収集車を提供することにある。
【００２８】
【課題を解決するための手段】
上記目的を達成する請求項１に記載の塵芥収集車の発明は、シャシー上に搭載された塵芥収容箱の内部を隔壁によって上下方向に区画して下層収容箱と上層収容箱を構成し、上記塵芥収容箱の後方に、上記下層収容箱及び上層収容箱に各々対応した下層用投入箱及び上層用投入箱を有する塵芥投入箱が連接して配置され、
上記下層用投入箱内及び上層用投入箱内に各々投入された塵芥を各々対応する下層収容箱内及び上層収容箱内に積み込む塵芥積込装置が上記塵芥投入箱に配設された塵芥収集車において、上記塵芥積込装置は、上記下層用投入箱内に回転自在に設けられて該下層用投入箱内に投入された塵芥を掻き上げる下層用回転板と、上記下層用投入箱内に揺動前端位置と揺動後端位置との間を揺動自在に設けられて上記下層用回転板によって掻き上げられた塵芥を上記下層収容箱内に押し込む下層用押込板と、上記上層用投入箱内に回転自在に設けられて該上層用投入箱内に投入された塵芥を掻き上げる上層用回転板と、上記上層用投入箱内に揺動前端位置と揺動後端位置との間を揺動自在に設けられて上記上層用回転板によって掻き上げられた塵芥を上記上層収容箱内に押し込む上層用押込板と、上記下層用回転板及び上層用回転板を連動して回転駆動する回転板駆動部と、上記下層用押込板及び上層用押込板を連動して揺動駆動せしめる押込板駆動部とを有することを特徴とする。
【００２９】
請求項１の発明によると、下層用投入箱内に下層用回転板と下層用押込板を設け、上層用投入箱内に上層用回転板と上層用押込板を設け、回転板駆動部によって下層用回転板と上層用回転板とを回転駆動し、押込板駆動部によって下層用押込板と上層用押込板を揺動駆動することから、下層用回転板及び上層用回転板が単一の回転板駆動部によって駆動され、また下層用押込板及び上層用押込板を単一の押込板駆動部によって駆動されて回転板駆動部及び押込板駆動部の共用化が得られ、回転板駆動部及び押込板駆動部を作動制御する積込制御回路、油圧機器及び油圧配管等の各種構成部品の簡素化が得られ、重量の低減及び製造コスト及びメンテナンスコストの削減が得られる。
【００３０】
請求項２に記載の発明は、請求項１の塵芥収集車において、上記下層用回転板と上層用回転板は、上記回転板駆動部によって同期して回転駆動され、上記下層用押込板と上層用押込板は、上記押込板駆動部によって同期して揺動駆動されることを特徴とする。
【００３１】
この請求項２の発明によると、下層用回転板と上層用回転板が回転板駆動部によって同期して回転駆動され、下層用押込板と上層用押込板が押込板駆動部によって同期して揺動駆動されることから、比較的低位置に配設されて目視可能な下層用回転板及び下層用押込板の作動状態を目視することによって、比較的高位置に配設されて地上からの目視が困難な上層用回転板及び上層用押込板の作動状態が確認でき、例えば上層用回転板や上層用押込板等に塵芥が挟まる等の不都合が発生した際、迅速な対処を可能にする。
【００３２】
請求項３に記載の発明は、請求項１または２の塵芥収集車において、上記回転板駆動装置は、油圧モータと、上記下層用投入箱に回転自在に設けられて上記下層用回転板を支持する下層用回転軸に設けられた下層用スプロケットと、上記上層用投入箱に回転自在に設けられて上記上層用回転板を支持する上層用回転軸に設けられた上層用スプロケットと、上記油圧モータと上記下層用スプロケットの間及び上記油圧モータと上層用スプロケットの間に動力伝達可能に掛け渡されたチェーンとを有することを特徴とする。
【００３３】
請求項３の発明は、上記請求項１または２に記載の回転板駆動部をより具体的に構成したものであって、油圧モータからの駆動力をチェーン及び下層用スプロケット等を介して下層用回転板を回転駆動する一方、油圧モータからチェーン及び上層用スプロケット等を介して上層用回転板を回転駆動することにより回転板駆動部の構成の簡素化が得られる。
【００３４】
請求項４に記載の発明は、請求項１〜３のいずれか１項の塵芥収集車において、上記押込板駆動部は、上記下層用押込板及び上層用押込板のいずれか一方と塵芥投入箱との間に架設された押込シリンダと、上記下層用押込板と上層用押込板を連動可能に連結する連結ロッドとを有することを特徴とする。
【００３５】
請求項４の発明は、上記請求項１または２に記載の押込板駆動部をより具体的に構成したものであって、下層用押込板及び上層用押込板のいずれか一方と塵芥投入箱との間に架設された押込シリンダの伸縮によって、一方の押込板を揺動駆動し、連結ロッドを介して他方の押込板を連動させて揺動させることにより押込板駆動部の構成の簡素化が得られる。
【００３６】
請求項５に記載の発明は、請求項１〜４のいずれか１項の塵芥収集車において、上記塵芥収容箱は、該上層収容箱を搭載するシャシーに傾倒可能に支持されると共に、上記塵芥投入箱が上記塵芥収容箱の後端上部に揺動可能に支持され、上記上層収容箱及び下層収容箱の各後部に形成された各後部開口の少なくとも一方を開閉する収容箱開閉蓋を有することを特徴とする。
【００３７】
請求項５の発明によると、下層収容箱或いは上層収容箱の後部開口を収容箱開閉蓋によって閉鎖することによって、塵芥収容箱を傾倒せしめることによって、開放された側の下層収容箱或いは上層収容箱の内部に収容された塵芥のみを排出することが可能になり、効率的な塵芥の排出作業が行える。
【００３８】
【発明の実施の形態】
以下、本発明による塵芥収集車の実施の形態について図１乃至図６によって説明する。
【００３９】
図１は、塵芥収集車の概要を示す側面図、図２は図１のＡ部拡大図であり、図中符号１は塵芥収集車である。
【００４０】
塵芥収集車１のシャシー２上に塵芥収容箱３が搭載され、この塵芥収容箱３の後方にブラケット４を介して塵芥投入箱５の上端が塵芥収集箱３の上部後端に揺動可能に支持され、かつ塵芥収容箱３の後端が、シャシー２の後端に揺動可能に支持され、シャシー２と収容箱３との間に架設された後述する収容箱傾倒シリンダ８の伸縮によってシャシー２の後端を中心してに、塵芥収容箱３がシャシー２に対して傾倒するように構成されている。
【００４１】
塵芥収容箱３は、内部を隔壁１０によって上下方向に区画して後方が開放された下層収容箱１１と上層収容箱１２とに構成されている。更に、上記ブラケット４に収容箱開閉蓋６が軸支され、塵芥収容箱３と収容箱開閉蓋６との間に架設された開閉蓋用シリンダ７の伸縮によって上層収容箱１２の後部開口部１２ａを開閉するように構成されている。
【００４２】
塵芥投入箱５は、塵芥収容箱３と塵芥投入箱５との間に架設されたリフトシリンダ９の伸縮によって塵芥収容箱３に対して上記ブラケット４を揺動中心に塵芥収容箱３の後部に対して接離するように傾倒すると共に、塵芥投入箱５の下端がロックシリンダによって作動する固縛装置（図示せず）によって塵芥収容箱３の下部後端に係止されるように構成されている。
【００４３】
塵芥投入箱５内は、上記塵芥収容箱３に区画形成された下層収容箱１１及び上層収容箱１２に対応して、上層用底板１６によって下層用投入箱１７と上層用投入箱１８とに区画されると共に塵芥積込装置２０が配設されている。
【００４４】
この塵芥積込装置２０は、下層用投入箱１７内に車幅方向に沿って配置された下層用押込板支軸２１に揺動自在に軸支される下層用押込板２３と、下層用押込板２３の下方位置で車幅方向に沿って下層用投入部１７内に配設される下層用回転軸２５に支持される下層用回転板２７とを備えた下層用積込機構２０Ａを有している。
【００４５】
一方、上層用投入箱１８内に車幅方向に沿って配置された上層用押込板支軸２２に揺動自在に軸支される上層用押込板２４と、上層用押込板２４の下方位置で車幅方向に沿って上層用投入箱１８内に配設される上層用回転軸２６に支持される上層用回転板２８とを備えた上層用積機構２０Ｂを有すると共に、下層用押込板２３と上層用押込板２４は互いに連結ロッド３１によって連動可能に連結されている。
【００４６】
下層用押込板２３の上端と塵芥投入箱５の上層用底板１６の前端下部近傍との間に押込板駆動部として機能する押込シリンダ３２が架設され、この押込シリンダ３２の伸縮によって、下層用押込板２３及びこの下層用押込板２３に連結ロッド３１によって連結された上層用押込板２４が各々下層用回転軸２１及び上層用回転軸２２を揺動中心として揺動前端位置と揺動後端位置との間を揺動するように構成されている。
【００４７】
下層用回転軸２５と上層用回転軸２６との間に回転板駆動部として機能する油圧モータ３５が配設され、油圧モータ３５と下層用回転軸２５及び油圧モータ３５と上層用回転軸２６の間には、油圧モータ３５の回転を減速すると共に下層用回転板２７及び上層用回転板２８を同期して回転駆動する動力伝達機構が設けられている。
【００４８】
この動力伝達機構は、例えば、図２に示すように、油圧モータ３５と下層用回転軸２５に設けられた下層用スプロケット３７及び油圧モータ３５と上層用回転軸２６に設けられた上層用スプロケット３８の間に、各々チエーン３７ａ及び３８ａを掛け渡すことによって構成され、下層用スプロケット３７と上層用スプロケット３８は同径に形成されている。
【００４９】
図３は、上記開閉蓋用シリンダ７、収容箱傾倒シリンダ８、リフトシリンダ９、押込シリンダ３２、油圧モータ３５等の油圧装置を作動するための油圧回路４０を示している。
【００５０】
図中、符号Ｔは油タンク、Ｐは油圧ポンプであって、油圧ポンプＰからの供給回路Ｐａ及び回収回路Ｐｂは第１、第２、第３、第４、第５の主切換弁Ｖ１、Ｖ２、Ｖ３、Ｖ４、Ｖ５を介して各々油圧モータ３５、押込シリンダ３２、リフトシリンダ９、収容箱傾倒シリンダ８、開閉蓋用シリンダ７に接続されている。
【００５１】
第１主切換弁Ｖ１は、油圧ポンプＰからの油圧を油圧モータ３５の正転側供給口３５ａ或いは逆転側供給口３５ｂに切り換え供給して、油圧モータ３５を正逆回転してチエーン３７ａ、下層用スプロケット３７を介して下層用回転軸２５に設けられた下層用回転板２７を正逆回転せしめると共に、同様にチエーン３８ａ、上層用スプロケット３８を介して上層用回転軸２６に設けられた上層用回転板２８を正逆回転せしめる。また、図３に示すように正転側供給口３５ａ及び逆転側供給口３５ｂを共に閉鎖して油圧モータ３５の回転を停止せしめることによって下層用回転板２７及び上層用回転板２８を停止し、かつその停止位置に固定する。
【００５２】
第２主切換弁Ｖ２は、油圧ポンプＰからの油圧を押込シリンダ３２の伸長側油室３２ａ或いは収縮側油室３２ｂに切り換え供給して互いに連結ロッド３１によって連結された下層用押込板２３及び上層用押込板２４を各々下層用押込板支軸２１及び上層用押込板支軸２２を中心に揺動すると共に、伸長側油室３２ａ及び収縮側油室３２ｂへの給排を停止することにより下層用押込板２３及び上層用押込板２４を停止し、かつその停止位置に固定する。
【００５３】
第３主切換弁Ｖ３は、油圧ポンプＰからの油圧をリフトシリンダ９の伸長側油室９ａ或いは収縮側油室９ｂに切り換え供給して塵芥収容箱３に対して塵芥投入箱５を傾倒させると共に、伸長側油室９ａ及び収縮側油室９ｂへの給排を停止して塵芥投入箱５の傾倒を停止して塵芥投入箱５を固定するものである。
【００５４】
第４主切換弁Ｖ４は、油圧ポンプＰからの油圧を収容箱傾倒シリンダ８の伸長側油室８ａ或いは収縮側油室８ｂに切り換え供給して塵芥収容箱３をシャシー２に対して傾倒させると共に、伸長側油室８ａ及び収縮側油室８ｂへの給排を停止して塵芥収容箱３の傾倒を停止して塵芥収容箱３をその停止位置に固定するものである。
【００５５】
第５主切換弁Ｖ５は、油圧ポンプＰからの油圧を開閉蓋用シリンダ７の伸長側油室７ａ或いは収縮側油室７ｂに切り換え供給して収容箱開閉蓋６を揺動して上層収容箱１２の後部開口１２ａを開閉すると共に、伸長側油室７ａ及び収縮側油室７ｂへの給排を停止して収容箱開閉蓋６の揺動を停止して、収容箱開閉蓋６を上記後部開口１２ａを開放した開放位置或いは後部開口１２ａを閉鎖する閉鎖位置に固定するものである。
【００５６】
次に、このように構成される塵芥収集車の積込装置等の作用について図４に示す作動説明図に従って説明する。
【００５７】
図２に示すように収容箱開閉蓋６が上層収容箱１２の後部開口１２ａを開放した状態で、図４（ａ）に示すように下層用回転板２７の先端が下層収容箱１１の床面となる塵芥収容箱３の床面３ａの後端と略一致すると共に、上層用回転板２８の先端が隔壁１０の後端と略一致する積込開始位置Ｉでかつ、下層用押込板２３及び上層用押込板２４が揺動前端位置に各々停止した状態で下層用投入部１７及び上層用投入部１８の一方、或いは両方に各投入口（図示せず）から予め分別された塵芥、例えば、下層用投入箱１７に厨雑芥を投入し、上層用投入箱１８に資源ゴミを投入し、操作盤（図示せず）の作動スイッチ操作により積込装置２０を作動させる。
【００５８】
操作盤の作動スイッチ操作により油圧モータ３５の正転側供給口３５ａに油圧ポンプＰからの油圧が供給されるように第１主切換弁Ｖ１が切換わり、油圧モータ３５が正転してチエーン３７ａ、下層用スプロケット３７を介して下層用回転軸２５が回転駆動されて下層用回転板２７が回転すると共に、チエーン３８ａ、上層用スプロケット３８を介して上層用回転軸２６が回転駆動され、上記下層用回転板２７と同期して上層用回転板２８が回転する。
【００５９】
下層用回転板２７及び上層用回転板２８が図４（ｂ）に示すように押込板戻り開始位置ＩＩに達するとその信号が制御装置に入力され、制御装置からの指示に従って第２主切換弁Ｖ２が切換わり押込シリンダ３２の収縮側油室３２ｂに油圧が供給されて押込シリンダ３２が収縮し、互いに連結ロッド３１によって連結され揺動前端位置にある下層用押込板２３及び上層用押込板２４を揺動後端位置へ向けて揺動開始させる。
【００６０】
下層用回転板２７及び上層用回転板２８が更に回転して図４（ｃ）に示すように押込板戻り完了位置ＩＩＩに達すると、下層用押込板２３及び上層用押込板２４が揺動後端位置まで揺動し、第２主切換弁Ｖ２が図３に示すように切換わり押込シリンダ３２の収縮が停止して下層用押込板２３及び上層用押込板２４を揺動後端位置に保持する。
【００６１】
油圧モータ３５による下層用回転板２７及び上層用回転板２８の回転は、続行されて下層用投入箱１７及び上層用投入箱１８内に投入された塵芥を各々下層用回転板２７及び上層用回転板２８によって掻き上げ、下層用回転板２７及び上層用回転板２８の各先端が各々塵芥収容箱３の床面３ａの後端及び隔壁１０の後端と略一致する積込開始位置Ｉに達すると、その信号が制御装置に入力され、制御装置からの指示により第１主切換弁Ｖ１が図３に示すように切り換えられて油圧モータ３５が停止して各下層用回転板２７及び上層用回転板２８が図４（ｄ）に示すように積込開始位置Ｉで停止する。
【００６２】
更に、制御装置からの指示に従って第２主切換弁Ｖ２が切換わり、押込シリンダ３２の伸長側油室３２ａに油圧が供給されて押込シリンダ３２が伸長して、図４（ｅ）のように揺動後端位置に位置する下層用押込板２３及び上層用押込２４を揺動前端位置まで揺動させて下層用回転板２７及び上層用回転板２８によって掻き上げられた下層用回転板２７及び上層用回転板２８上の各塵芥を後部開口１１ａから下層収容箱１１内、及び後部開口１２ａから上層収容箱１２内に各々押し込み、第２主切換弁Ｖ２が図３に示すように切換わり押込シリンダ３２の収縮を停止して下層用押込板２３及び上層用押込板２４が揺動前端位置に停止した図４（ａ）に示す状態に復帰する。
【００６３】
これら図４の（ａ）から（ｅ）に示す各作動を繰り返すことにより連続的に下層用投入箱１７及び上層用投入箱１８内に各々投入された塵芥を順下層収容箱１１及び上層収容箱１２内に押し込み収容する。
【００６４】
このようにして積み込み回収された塵芥は、所定回収場所に塵芥収集車１によって搬送され、塵芥収容箱３内から排出される。
【００６５】
この排出作業は、下層収容箱１１内の塵芥を回収する回収場所において、先ず第５主切換弁Ｖ５に切換によっては、油圧ポンプＰからの油圧を開閉蓋用シリンダ７の伸長側油室７ａに供給して収容箱開閉蓋６を揺動して上層収容箱１２の後部開口１２ａを図５に示すように閉鎖し、かつその閉鎖状態に保持すると共に、固縛装置による塵芥投入箱５の下端部の係止を解除する。
【００６６】
そして、第３主切換弁Ｖ３の切換によって、油圧ポンプＰからの油圧をリフトシリンダ９の伸長側油室９ａに供給して塵芥投入箱５を図６に示すように押し上げると共に、第４主切換弁Ｖ４の切換によって収容箱傾倒シリンダ８の伸長側油室８ａに油圧を供給して塵芥収容箱３を傾倒させて下層収容箱１１内の塵芥を後部開口１１ａから排出する。
【００６７】
下層収容箱１１内の塵芥の排出が完了した後に、先ず第４主切換弁Ｖ４の切換によって、収容箱傾倒シリンダ８の収縮側油室８ｂに油圧を供給してシャシー２上に載置する位置に復帰させた後に、第３主切換弁Ｖ３の切換えによって、油圧ポンプＰからの油圧をリフタシリンダ９の収縮側油室９ｂに供給して塵芥投入箱５を塵芥収容箱３の後部に当接するように下げ、かつ固縛装置により塵芥投入箱５の下端部を塵芥収容箱３の下部後端に係止する。
【００６８】
続いて、上層収容箱１２内の塵芥を回収する回収場所に移動し、固縛装置による塵芥投入箱５の下端部の係止を解除する。
【００６９】
そして、第３主切換弁Ｖ３の切換によって、油圧ポンプＰからの油圧をリフトシリンダ９の伸長側油室９ａに供給して塵芥投入箱５を押し上げると共に、第４主切換弁Ｖ４の切換によっては収容箱傾倒シリンダ８の伸長側油室８ａに油圧を供給して塵芥収容箱３を傾倒させ、かつ第５主切換弁Ｖ５に切換によって、油圧ポンプＰからの油圧を開閉蓋用シリンダ７の収縮側油室７ｂに供給して収容箱開閉蓋６を揺動して上層収容箱１２の後部開口１２ａを開放して、上層収容箱１２内の塵芥を排出する。
【００７０】
このように構成される塵芥収集車１によると、単一の油圧モータ３５によってチエーン３７ａ及び下層用スプロケット３７を介して下層回転板２７が回転駆動され、かつチエーン３８ａ及び上層用スプロケット３８等を介して上層用回転板２８が回転駆動されて単一の油圧モータ３５の共用化が得られ、かつ単一の押込シリンダ３２によって下層用押込板２３及び上層用押込板２４が揺動駆動されることから、回転板駆動部及び押込板駆動部を作動制御する積込制御回路、駆動装置を作動せしめる油圧機器及び油圧配管等の各種構成部品の簡素化が得られて重量の低減が図られ、かつ、例えば上記図７に示すような塵芥収容箱内を区画することなく、単一に回転板及び押込板からなる積込装置を有する従来の塵芥収集車の制御回路、油圧機器、油圧配管等の各種構成部品をほぼそのまま転用することが可能なことと相俟って、製造コスト及びメンテナンスコストの削減が得られる。
【００７１】
更に、下層用回転板２７と上層用回転板２８とが同期して回転することから、地上から目視困難な高位置に配設される上層用回転板２８の作動状態を、比較的低位置に配設された下層用回転板２７の作動状態を直接目視することによって確認でき、上層用投入箱１８に塵芥を投入するタイミングの判断が容易にできて塵芥回収作業性が向上すると共に、上層回転板２８と上層用底板１６との間に塵芥等が挟まって上層用回転板２８の回転が積込工程途中で停止した場合でも、上層用回転板２８と同期して停止した下層用回転板２７の作動状態を目視することによって、上層用回転板２８の停止状態が確認でき、対処すべき上層用回転板２８の揺動方向の判断が容易に確実に行え、迅速な対処が可能になる。
【００７２】
以上説明では、塵芥投入箱３と下層用押込板２３との間に押込シリンダ３２を架設して下層用押込板２３を揺動させると共に、下層用押込板２３と上層用押込板２４との間に架設された連結ロッド３１を介して上層用押込板２４を揺動駆動したが、塵芥投入箱３と上層用押込板２４との間に押込シリンダ３２を架設して上層用押込板２４を揺動させると共に、下層用押込板２３と上層用押込板２４との間に架設された連結ロッド３１を介して下層用押込板２３を揺動駆動することも可能である。
【００７３】
更に、上層収容箱１２に代えて下層収容箱１１の後部開口１１ａに収容箱開閉蓋を設けることも可能であり、更に上層収容箱１２の後部開口１２ａ及び下層収容箱１１の後部開口１１ａに各々収容箱開閉蓋を設けることも可能であり、本発明は上記実施の形態に限定されることなく、発明の趣旨を逸脱しない範囲で適宜変更可能である。
【００７４】
【発明の効果】
以上説明した本発明の塵芥収集車によると、複数の収容箱を有する塵芥収容箱の後方に、上記各収容箱に対応した複数の投入箱を有する塵芥投入箱が連接して配置され、上記各投入箱に投入された塵芥を上記対応する収容箱に積み込む塵芥積込装置が配設された塵芥収集車において、予め分別された種類の異なる塵芥を各投入箱に投入することによって、各投入箱に設けられた積込機構によって対応する収容箱に回収されると共に、各投入箱に設けられた単一の積込機構が駆動装置によって連動して駆動せしめることによって、駆動装置の共用化が得られ、駆動装置を作動制御する積込制御回路の簡素化が得られ、かつ駆動装置を作動せしめる油圧機器及び油圧配管等の各種構成部品の簡素化が得られ、重量の低減及び製造コスト及びメンテナンスコストの削減が得られ、塵芥収集車の製造及び塵芥収集車を利用する各分野に貢献すること大なるものである。
【図面の簡単な説明】
【図１】本発明による塵芥収集車の実施の形態を説明する塵芥収集車の要部側面図である。
【図２】図１のＡ部拡大説明図である。
【図３】本実施の形態に用いられる油圧回路の説明図である。
【図４】本実施の形態の作動説明図である。
【図５】同じく、本実施の形態の作動説明図である。
【図６】同じく、本実施の形態の作動説明図である。
【図７】従来の塵芥収集車を説明する要部側面図である。
【図８】従来の塵芥収集車の油圧回路の説明図である。
【図９】従来の塵芥収集車の作動説明図である。
【符号の説明】
１   塵芥収集車
２   シャシー
３   塵芥収容箱
５   塵芥投入箱
６   収容箱開閉蓋
１０   隔壁
１１   下層収容箱
１１ａ  後部開口
１２   上層収容箱
１２ａ  後部開口
１７   下層用投入箱
１８   上層用投入箱
２０   塵芥積込装置
２０Ａ  下層用積込機構
２０Ｂ  上層用積機構
２３   下層用押込板
２４   上層用押込板
２５   下層用回転軸
２６   上層用回転軸
２７   下層用回転板
２８   上層用回転板
３１   連結ロッド
３５   油圧モータ
３７   下層用スプロケット
３７ａ  チエーン
３８   上層用スプロケット
３８ａ  チエーン
４０   油圧回路
【図１】
0004191819.tif 000002
【図２】
0004191819.tif 000003
【図３】
0004191819.tif 000004
【図４】
0004191819.tif 000005
【図５】
0004191819.tif 000006
【図６】
0004191819.tif 000007
【図７】
0004191819.tif 000008
【図８】
0004191819.tif 000009
【図９】
0004191819.tif 000010